【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
後方から照射される光を透過して画像を表示する画像表示装置において、
前記画像表示装置は、
少なくとも裏面に偏光板が配設された液晶表示パネルと該液晶表示パネルの裏面の偏光板の後面に取り付けられる微細位相差板とから構成される液晶表示パネルユニットと、
前記液晶表示パネルユニットの前面に配設される拡散板と、
所定の大きさの開口部を持ち、液晶表示パネルユニットと拡散板とを取り付ける取付ベース部材と、
前記取付ベース部材の前面側に取り付けるカバー部材と、を備え、
前記取付ベース部材は、
枠部の内周に沿って前記開口部を形成する所定高さの起立壁を備え、該起立壁の前面側に前記液晶表示パネルユニットと拡散板とを収納可能な収納部が形成され、
前記カバー部材は、
前記開口部に対応した開口を備え、前記取付ベース部材の起立壁の前面側の収納部に前記液晶表示パネルユニットと拡散板とを収納して、前記取付ベース部材に取り付けた状態にあって、前記開口の外周領域であって前記起立壁と対向する位置に前記拡散板と当接する当接部が形成され、
前記取付ベース部材の起立壁と前記カバー部材の当接部とによって、前記液晶表示パネルユニットと拡散板とを、液晶表示パネルの偏光板を含む領域にて前後方向に押圧支持可能にし、前記液晶表示パネルユニットは、前記微細位相差板を前記液晶表示パネルの裏面に配設された偏光板と接触する接触領域と、該接触領域を間に挟んだ端部位置に前記偏光板と接触せずに前記液晶表示パネルに対向する非接触領域とを形成するようにして、前記非接触領域の所定部位において前記液晶表示パネルと前記微細位相差板とを接着固定するようにしたことを特徴とする画像表示装置。
【請求項２】
後方から照射される光を透過して画像を表示する画像表示装置において、
前記画像表示装置は、光を透過して画像を表示するための前側構成部と、光を発光する光源を備えた後側構成部とから構成し、
前記前側構成部は、
フレネルレンズと、
少なくとも裏面に偏光板が配設された液晶表示パネルと該液晶表示パネルの裏面の偏光板の後面に取り付けられる微細位相差板とから構成される液晶表示パネルユニットと、
前記液晶表示パネルユニットの前面に配設される拡散板と、
所定の大きさの開口部を持ち、前記フレネルレンズと液晶表示パネルユニットと拡散板とを取り付ける取付ベース部材と、
前記取付ベース部材の前面側に取り付けるカバー部材と、を備え、
前記取付ベース部材は、
枠部の内周に沿って前記開口部を形成する所定高さの起立壁を備え、該起立壁の前面側に前記液晶表示パネルユニットと拡散板とを収納可能な収納部が形成されると共に、裏面側に前記フレネルレンズの取付部が形成され、
前記カバー部材は、
前記開口部に対応した開口を備え、前記取付ベース部材の起立壁の前面側の収納部に前記液晶表示パネルユニットと拡散板とを収納して、前記取付ベース部材に取り付けた状態にあって、前記開口の外周領域であって前記起立壁と対向する位置に前記拡散板と当接する当接部が形成され、
前記取付ベース部材の起立壁と前記カバー部材の当接部とによって、前記液晶表示パネルユニットと拡散板とを、液晶表示パネルの偏光板を含む領域にて前後方向に押圧支持可能にし、前記液晶表示パネルユニットは、前記微細位相差板を前記液晶表示パネルの裏面に配設された偏光板と接触する接触領域と、該接触領域を間に挟んだ端部位置に前記偏光板と接触せずに前記液晶表示パネルに対向する非接触領域とを形成するようにして、前記非接触領域の所定部位において前記液晶表示パネルと前記微細位相差板とを接着固定するようにしたことを特徴とする画像表示装置。
【請求項３】
前記後側構成部は、
前記光源としての線状発光源と、
反射部材と、
これらを収納する筐体と、を備え、
前記筐体には、
前記フレネルレンズの後方側に位置する上部空間と、該上部空間の下方に位置する下部空間とが形成され、
前記線状発光源は、
前記下部空間に、前記液晶表示パネルに対して左右方向に設けられると共に、前記反射部材に向けて光を発光するように配設され、
前記反射部材は、
前記上部空間に、前記線状発光源からの光を前記フレネルレンズに向けて反射するように所定角を持って配設され、
前記フレネルレンズに対して前記線状発光源が前記反射部材を介して所定間隔離れた位置となるように構成したことを特徴とする請求項２に記載の画像表示装置。
【請求項４】
前記液晶表示パネルユニットは、前記収納部に収納される場合に前記液晶表示パネルの下面が前記収納部の底板上面に載置される状態で収納され、この状態で前記取付ベース部材に形成される開口部に対応した部位に、液晶表示パネルの画像表示面を位置させると共に前記偏光板および前記微細位相差板を対応して取り付けるようにしたことを特徴とする請求項１から３のいずれか一つに記載の画像表示装置。
【手続補正２】
【補正対象書類名】明細書
【補正対象項目名】０００８
【補正方法】変更
【補正の内容】
【０００８】
【課題を解決するための手段】
第１の発明は、後方から照射される光を透過して画像を表示する画像表示装置において、前記画像表示装置は、少なくとも裏面に偏光板が配設された液晶表示パネルと該液晶表示パネルの裏面の偏光板の後面に取り付けられる微細位相差板とから構成される液晶表示パネルユニットと、前記液晶表示パネルユニットの前面に配設される拡散板と、所定の大きさの開口部を持ち、液晶表示パネルユニットと拡散板とを取り付ける取付ベース部材と、前記取付ベース部材の前面側に取り付けるカバー部材と、を備え、前記取付ベース部材は、枠部の内周に沿って前記開口部を形成する所定高さの起立壁を備え、該起立壁の前面側に前記液晶表示パネルユニットと拡散板とを収納可能な収納部が形成され、前記カバー部材は、前記開口部に対応した開口を備え、前記取付ベース部材の起立壁の前面側の収納部に前記液晶表示パネルユニットと拡散板とを収納して、前記取付ベース部材に取り付けた状態にあって、前記開口の外周領域であって前記起立壁と対向する位置に前記拡散板と当接する当接部が形成され、前記取付ベース部材の起立壁と前記カバー部材の当接部とによって、前記液晶表示パネルユニットと拡散板とを、液晶表示パネルの偏光板を含む領域にて前後方向に押圧支持可能にし、前記液晶表示パネルユニットは、前記微細位相差板を前記液晶表示パネルの裏面に配設された偏光板と接触する接触領域と、該接触領域を間に挟んだ端部位置に前記偏光板と接触せずに前記液晶表示パネルに対向する非接触領域とを形成するようにして、前記非接触領域の所定部位において前記液晶表示パネルと前記微細位相差板とを接着固定するようにした。
【手続補正３】
【補正対象書類名】明細書
【補正対象項目名】０００９
【補正方法】変更
【補正の内容】
【０００９】
第２の発明は、後方から照射される光を透過して画像を表示する画像表示装置において、前記画像表示装置は、光を透過して画像を表示するための前側構成部と、光を発光する光源を備えた後側構成部とから構成し、前記前側構成部は、フレネルレンズと、少なくとも裏面に偏光板が配設された液晶表示パネルと該液晶表示パネルの裏面の偏光板の後面に取り付けられる微細位相差板とから構成される液晶表示パネルユニットと、前記液晶表示パネルユニットの前面に配設される拡散板と、所定の大きさの開口部を持ち、前記フレネルレンズと液晶表示パネルユニットと拡散板とを取り付ける取付ベース部材と、前記取付ベース部材の前面側に取り付けるカバー部材と、を備え、前記取付ベース部材は、枠部の内周に沿って前記開口部を形成する所定高さの起立壁を備え、該起立壁の前面側に前記液晶表示パネルユニットと拡散板とを収納可能な収納部が形成されると共に、裏面側に前記フレネルレンズの取付部が形成され、前記カバー部材は、前記開口部に対応した開口を備え、前記取付ベース部材の起立壁の前面側の収納部に前記液晶表示パネルユニットと拡散板とを収納して、前記取付ベース部材に取り付けた状態にあって、前記開口の外周領域であって前記起立壁と対向する位置に前記拡散板と当接する当接部が形成され、前記取付ベース部材の起立壁と前記カバー部材の当接部とによって、前記液晶表示パネルユニットと拡散板とを、液晶表示パネルの偏光板を含む領域にて前後方向に押圧支持可能にし、前記液晶表示パネルユニットは、前記微細位相差板を前記液晶表示パネルの裏面に配設された偏光板と接触する接触領域と、該接触領域を間に挟んだ端部位置に前記偏光板と接触せずに前記液晶表示パネルに対向する非接触領域とを形成するようにして、前記非接触領域の所定部位において前記液晶表示パネルと前記微細位相差板とを接着固定するようにした。
【手続補正４】
【補正対象書類名】明細書
【補正対象項目名】００１０
【補正方法】変更
【補正の内容】
【００１０】
第３の発明は、第２の発明において、前記後側構成部は、前記光源としての線状発光源と、反射部材と、これらを収納する筐体と、を備え、前記筐体には、前記フレネルレンズの後方側に位置する上部空間と、該上部空間の下方に位置する下部空間とが形成され、前記線状発光源は、前記下部空間に、前記液晶表示パネルに対して左右方向に設けられると共に、前記反射部材に向けて光を発光するように配設され、前記反射部材は、前記上部空間に、前記線状発光源からの光を前記フレネルレンズに向けて反射するように所定角を持って配設され、前記フレネルレンズに対して前記線状発光源が前記反射部材を介して所定間隔離れた位置となるように構成した。
【手続補正５】
【補正対象書類名】明細書
【補正対象項目名】００１１
【補正方法】変更
【補正の内容】
【００１１】
第４の発明は、第１〜第３の発明において、前記液晶表示パネルユニットは、前記収納部に収納される場合に前記液晶表示パネルの下面が前記収納部の底板上面に載置される状態で収納され、この状態で前記取付ベース部材に形成される開口部に対応した部位に、液晶表示パネルの画像表示面を位置させると共に前記偏光板および前記微細位相差板を対応して取り付けるようにした。
【手続補正６】
【補正対象書類名】明細書
【補正対象項目名】００１２
【補正方法】変更
【補正の内容】
【００１２】
【発明の効果】
第１の発明では、少なくとも裏面に偏光板が配設された液晶表示パネルと該液晶表示パネルの裏面の偏光板の後面に取り付けられる微細位相差板とから構成される液晶表示パネルユニットを備え、取付ベース部材は、枠部の内周に沿って開口部を形成する所定高さの起立壁を備え、該起立壁の前面側に液晶表示パネルユニットと拡散板との収納部が形成され、カバー部材は、開口部に対応した開口を備え、取付ベース部材の起立壁の前面側の収納部に液晶表示パネルユニットと拡散板とを収納して、取付ベース部材に取り付けた状態にあって、開口の外周領域であって起立壁と対向する位置に拡散板と当接する当接部が形成され、取付ベース部材の起立壁とカバー部材の当接部とによって、液晶表示パネルユニットと拡散板とを、液晶表示パネルの偏光板を含む領域にて前後方向に押圧支持可能にしたので、偏光板の後面に微細位相差板を取り付ける液晶表示パネルユニットを的確に収納支持することができ、その支持状態によって位置ずれを起こしたり、微細位相差板等が破損するようなことを防止できる。
【手続補正７】
【補正対象書類名】明細書
【補正対象項目名】００１３
【補正方法】変更
【補正の内容】
【００１３】
第２の発明では、少なくとも裏面に偏光板が配設された液晶表示パネルと該液晶表示パネルの裏面の偏光板の後面に取り付けられる微細位相差板とから構成される液晶表示パネルユニットを備え、取付ベース部材は、枠部の内周に沿って開口部を形成する所定高さの起立壁を備え、該起立壁の前面側に液晶表示パネルユニットと拡散板との収納部が、裏面側にフレネルレンズの取付部が形成され、カバー部材は、開口部に対応した開口を備え、取付ベース部材の起立壁の前面側の収納部に液晶表示パネルユニットと拡散板とを収納して、取付ベース部材に取り付けた状態にあって、開口の外周領域であって起立壁と対向する位置に拡散板と当接する当接部が形成され、取付ベース部材の起立壁とカバー部材の当接部とによって、液晶表示パネルユニットと拡散板とを、液晶表示パネルの偏光板を含む領域にて前後方向に押圧支持可能にしたので、偏光板の後面に微細位相差板を取り付ける液晶表示パネルユニットを的確に収納支持することができ、その支持状態によって位置ずれを起こしたり、微細位相差板等が破損するようなことを防止できる。
【手続補正８】
【補正対象書類名】明細書
【補正対象項目名】００１４
【補正方法】変更
【補正の内容】
【００１４】
さらに、第１及び第２の発明では、液晶表示パネルユニットは、微細位相差板を液晶表示パネルの裏面に配設された偏光板と接触する接触領域と、該接触領域を間に挟んだ端部位置に偏光板と接触せずに液晶表示パネルに対向する非接触領域とを形成するようにして、非接触領域の所定部位において液晶表示パネルと微細位相差板とを接着固定するようにしたので、取付ベース部材の起立壁とカバー部材の当接部とによって押圧支持される構成とによって、非接触領域の所定部位を単に固定するといった構成では微細位相差板がはずれてしまうようなことが防止でき、液晶表示パネルおよび微細位相差板が充分支持され、微細位相差板の良好な取付作業性が得られる。  
例えば、接着領域（例えば、接着領域全面）で接着固定するような場合には、この接着具合により表示面部分の光の透過具合がおかしなものになってしまうおそれがあったり、また作業性が困難であるが、接着部位が非接触領域で所定箇所であるので、作業性が良くなると共に画像表示面で接着剤等を透過させずにすむので画像表示装置毎にばらつきのある立体画像表示となってしまうことを抑止できる。
【手続補正９】
【補正対象書類名】明細書
【補正対象項目名】００１５
【補正方法】変更
【補正の内容】
【００１５】
第３の発明では、立体画像表示における光源を適切に配置できると共に、装置の奥行きを小さくしてコンパクトにでき、設置性を向上できる。
【手続補正１０】
【補正対象書類名】明細書
【補正対象項目名】００１６
【補正方法】変更
【補正の内容】
【００１６】
第４の発明では、液晶表示パネルユニットは、取付ベース部材の収納部に収納される場合に液晶表示パネルの下面が収納部の底板上面に載置される状態で収納され、この状態で取付ベース部材の開口部に対応した部位に、液晶表示パネルの画像表示面を位置させると共に偏光板および微細位相差板を対応して取り付けようにしたので、常に安定した状態で収納できるので、開口部と画像が表示される位置とずれることが無くなり、立体画像を適切に提供することができる。
【手続補正１１】
【補正対象書類名】明細書
【補正対象項目名】００５４
【補正方法】変更
【補正の内容】
【００５４】
この状態では、図８のようにカバー枠２２４の前壁部２７１の当接部２７３がディフューザ２２６に当接して、ディフューザ２２６、液晶表示パネルユニット２２７がカバー枠２２４の当接部２７３と正対する取付ベース２２３の起立壁２６２に押圧支持されると共に、取付ベース２２３の起立壁２６２が囲う開口部２６０ならびにカバー枠２２４の開口２７０は、液晶表示パネル２５２の両面の第１、第２偏光板２５０，２５１よりも小さく、つまり取付ベース２２３の起立壁２６２とカバー枠２２４の当接部２７３との間に第１、第２偏光板２５０，２５１の端部が介在して、取付ベース２２３の起立壁２６２とカバー枠２２４の当接部２７３とによって、ディフューザ２２６、液晶表示パネルユニット２２７は、液晶表示パネル２５２の両面の第１、第２偏光板２５０，２５１ならびに微細位相差板２５３を含んで、前後方向に所定の弾発力で押圧支持される。つまり、第１偏光板２５０、液晶表示パネル２５２、第２偏光板２５１、微細位相差板２５３とが隙間なく重合する部分を含めて起立壁２６２と当接部２７３とで押圧支持をするようにしたので、この重合部分は押圧されるどの部分も同じ厚みとなるので押圧される力も一定となり、偏った力が加えられる場合に比べて、支持がされやすくなる。つまり、微細位相差板２５３も十分に支持されるので、端部領域の空き領域Ｇの所定の部位に接着剤を用いるのみで接着状態を維持可能である（全面接着をして強固に接着しなくても良い）。また、同じ厚みにならない場合があり得る部位（接着領域等）のみを押圧支持するような場合には、偏った力が加わりかねないが、一定の力で押圧されるので、破損防止しやすい。